(57)【要約】【課題】摘み部の回転を規制する防犯機能を、別部材を用いることなく解除状態に保持できるサムターン構造を提供する。【解決手段】サムターン構造において、摘み部１５の外表面に突出して設けられ押し込まれることにより内部のサムターン回転規制機構を規制解除するボタン３９と、一部分が外表面に表出するとともにボタン３９の押し込み方向に直交方向でスライド自在となって摘み部１５に設けられ押し込まれたボタン３９に一方のスライド位置６７で係合してボタン３９を押し込み位置に保持する切替部材と、を設けた。サムターン構造は、同時に押し込まれることでサムターン回転規制機構を規制解除する一対のボタン３９が摘み部１５に設けられ、切替部材が同時に押し込まれた一対のボタン３９を押し込み位置に保持するものであることが好ましい。【選択図】  図８
2012233377.tif 000002
【特許請求の範囲】
【請求項１】
摘み部の外表面に突出して設けられ押し込まれることにより内部のサムターン回転規制機構を規制解除するボタンと、
一部分が前記外表面に表出するとともに前記ボタンの押し込み方向に直交方向でスライド自在となって前記摘み部に設けられ、押し込まれた前記ボタンに一方のスライド位置で係合して該ボタンを押し込み位置に保持する切替部材と、を具備することを特徴とするサムターン構造。
【請求項２】
請求項１記載のサムターン構造であって、
同時に押し込まれることで前記サムターン回転規制機構を規制解除する一対の前記ボタンが前記摘み部に設けられ、
前記切替部材が同時に押し込まれた一対の前記ボタンを押し込み位置に保持することを特徴とするサムターン構造。
【請求項３】
請求項２記載のサムターン構造であって、
前記摘み部が板状に形成され、
前記一対のボタンの一方が摘み部表面に配置され、
前記一対のボタンの他方が摘み部裏面に配置されることを特徴とするサムターン構造。
【請求項４】
請求項１，２，３のいずれか１つに記載のサムターン構造であって、
前記切替部材のスライド方向がサムターン回転中心軸に沿う方向であることを特徴とするサムターン構造。
【請求項５】
請求項１，２，３のいずれか１つに記載のサムターン構造であって、
前記切替部材のスライド方向がサムターン回転中心軸に直交方向であることを特徴とするサムターン構造。
【請求項６】
請求項３または４記載のサムターン構造であって、
前記切替部材が摘み部周縁を構成する周縁部材であることを特徴とするサムターン構造。
【請求項７】
請求項５記載のサムターン構造であって、
前記切替部材が前記ボタンを押し込み方向に揺動自在に支持する揺動軸を有することを特徴とするサムターン構造。
【請求項８】
請求項１〜７のいずれか１つに記載のサムターン構造であって、
前記摘み部と前記切替部材とには該切替部材を一方のスライド位置と他方のスライド位置に移動付勢するクリック部材が設けられていることを特徴とするサムターン構造。
【請求項９】
請求項１〜８のいずれか１つに記載のサムターン構造であって、
前記切替部材が蓄光材料を含んで発光可能に形成されていることを特徴とするサムターン構造。
【発明の詳細な説明】
【技術分野】
【０００１】
本発明は、摘み部の回転を規制することで錠機構部に対する不正な解錠操作を阻止するサムターン構造に関する。
【背景技術】
【０００２】
玄関扉等に設けられる錠箱は、扉木口から進退させたデッドボルトを扉枠に係合・係合解除させて、扉を施解錠する施解錠機構を内蔵する。錠箱のデッドボルトは、屋外側からはシリンダー錠によって、屋内側からはサムターンによって簡便な施解錠操作が可能となる。ところが、近年、ポスト口や、機械工具によって開けた小さな穴から棒や針金等を挿入し、回転操作の容易なサムターンに係止して回転させ、施錠装置を解錠する不正解錠が増えている。このようなサムターンに針金等を係止して回転させることを防止するものに例えば下記特許文献１に開示されるサムターン用防犯カバーがある。
【０００３】
この防犯カバーは、サムターン嵌入孔が形成されるとともに、回転時に円状軌跡を描くサムターンの外面を覆う部分が、円状軌跡に沿う円形状に形成されている。そして、嵌入孔内に螺入してサムターンの側面に当接し、両側から挟持するセットスクリューが設けられる。この防犯カバーは、嵌入孔にサムターンを挿入し、サムターンに防犯カバーを覆うように被せ、その後セットスクリューを螺入させて締め付けることで、サムターンに固定する。従って、サムターンに被せた防犯カバーによって、針金等を係止させて回転させることが難しくなる。
【０００４】
上記した従来の防犯カバーは、外形が円筒体形状であるため、手指によって板状の摘みを挟み持つ従来の摘み操作が行えず、操作性が低下した。このような事情から、摘み部にボタンを設け、外部からの不正な操作を困難にした防犯サムターンが提案された。この防犯サムターンによれば、一対のボタンを同時に押下しながらの回転力が摘み部に加えられなければ、摘み部による操作が行えず、これにより、挿入した針金や棒等を摘みに引っ掛ける等して、摘み部を回転することによる不正解錠を阻止できた。
【先行技術文献】
【特許文献】
【０００５】
【特許文献１】実公平４−４０３６２号公報
【特許文献２】特許第４４３０４６５号公報
【発明の概要】
【発明が解決しようとする課題】
【０００６】
しかしながら、上記したボタンを備える防犯サムターンは、一対のボタンを同時に押し込む操作が必須となり、例えば、一時的に居住しない状態で屋内の内装工事等頻繁に人が出入りする場合にはその正規な操作が煩雑となった。そのため、ボタン付の防犯サムターンに対し、ボタンを無効とする防犯サムターン用キャップを被せる構造が提案された（特許文献２参照）。この防犯サムターン用キャップを用いれば、解錠操作にて使用されるボタンの操作を、その使用状況に応じて、必須としない状態に変更できる。ところが、防犯サムターン用キャップは、サムターンとは別部材であるため、使用状況に応じて着脱する手間が煩雑であった。また、不使用時に脱着した場合の保管も煩雑であり、紛失する虞もあった。
【０００７】
本発明は上記状況に鑑みてなされたもので、その目的は、摘み部の回転が規制される防犯機能を、別部材を用いることなく解除状態に保持できるサムターン構造を提供することにある。
【課題を解決するための手段】
【０００８】
次に、上記の課題を解決するための手段を、実施の形態に対応する図面を参照して説明する。
本発明の請求項１記載のサムターン構造は、摘み部１５の外表面４７に突出して設けられ押し込まれることにより内部のサムターン回転規制機構を規制解除するボタン３９と、
一部分が前記外表面４７に表出するとともに前記ボタン３９の押し込み方向に直交方向でスライド自在となって前記摘み部１５に設けられ、押し込まれた前記ボタン３９に一方のスライド位置６７で係合して該ボタン３９を押し込み位置に保持する切替部材と、
を具備することを特徴とする。
【０００９】
このサムターン構造では、ボタン３９が突出した状態では、サムターン回転規制機構が作動し、サムターン１１による解錠操作が行えない状態となっている。ボタン３９が押し込まれると、サムターン回転規制機構による規制が解除される。このボタン３９を押し込んだ状態において、サムターン１１に設けられた切替部材が一方のスライド位置６７までスライドされると、ボタン３９が押し込まれた状態に保持される。これにより、サムターン回転規制機構が、規制解除された状態に保持されることになる。すなわち、ボタン３９の押し込み操作とは関係なく、サムターン１１のみの回転操作によって、通常と同様に施解錠が可能となる。
【００１０】
本発明の請求項２記載のサムターン構造は、請求項１記載のサムターン構造であって、
同時に押し込まれることで前記サムターン回転規制機構を規制解除する一対の前記ボタン３９が前記摘み部１５に設けられ、
前記切替部材が同時に押し込まれた一対の前記ボタン３９を押し込み位置に保持することを特徴とする。
【００１１】
このサムターン構造では、摘み部１５を二本の手指で摘む動作を利用して、摘み部１５の二カ所にボタン３９が配置される。摘み部１５の摘み動作と同時に一対のボタン３９が押し込み可能となる。これにより、同時に一対のボタン３９が押し込まれた場合に、規制が解除されるサムターン回転規制機構への採用が可能となる。
【００１２】
本発明の請求項３記載のサムターン構造は、請求項２記載のサムターン構造であって、
前記摘み部１５が板状に形成され、
前記一対のボタン３９の一方が摘み部表面５３に配置され、
前記一対のボタン３９の他方が摘み部裏面５５に配置されることを特徴とする。
【００１３】
このサムターン構造では、摘み部１５が例えば円柱体等である場合に比べ、視覚、触覚によって施解錠状態や施解錠操作方向の把握が容易となる。また、摘みやすい方向が厚み方向となり、二本の手指が接することになる表裏面へボタン３９が配置され、ボタン３９の配置及び押し込み操作が容易となる。
【００１４】
本発明の請求項４記載のサムターン構造は、請求項１，２，３のいずれか１つに記載のサムターン構造であって、
前記切替部材のスライド方向がサムターン回転中心軸７５に沿う方向であることを特徴とする。
【００１５】
このサムターン構造では、切替部材のスライド方向がサムターン回転中心軸７５に沿う方向、すなわち、扉面に垂直な方向となる。これにより、切替部材の切り替え操作方向が、サムターン１１の回転姿勢とは無関係な押し引き方向となる。
【００１６】
本発明の請求項５記載のサムターン構造は、請求項１，２，３のいずれか１つに記載のサムターン構造であって、前記切替部材のスライド方向がサムターン回転中心軸７５に直交方向であることを特徴とする。
【００１７】
このサムターン構造では、切替部材がサムターン回転中心軸７５に直交方向となることで、例えば摘み部１５が板状である場合、摘み部１５の表裏面に平行で、かつサムターン回転中心軸７５に直交する方向を操作方向にすることができる。従って、摘み部表面５３と摘み部裏面５５とに挟まれる摘み側部１１７をスライド操作する構造が可能となる。
【００１８】
本発明の請求項６記載のサムターン構造は、請求項３または４記載のサムターン構造であって、
前記切替部材が摘み部周縁５７を構成する周縁部材６１であることを特徴とする。
【００１９】
このサムターン構造では、切替部材がサムターン回転中心軸７５に沿う方向にスライドする構造において、その切替部材が摘み部表面５３と摘み部裏面５５とに挟まれる周縁部材６１となることで、摘み部１５の回転姿勢によらず常に視認が可能となる。また、摘み部表面５３および摘み部裏面５５のデザイン自由度が確保される。
【００２０】
本発明の請求項７記載のサムターン構造は、請求項５記載のサムターン構造であって、
前記切替部材が前記ボタン３９を押し込み方向に揺動自在に支持する揺動軸４５を有することを特徴とする。
【００２１】
このサムターン構造では、ボタン３９の押し込みを可能とする揺動構造のための部材と、切替部材をサムターン回転中心軸７５と直交方向にスライドさせるための案内部材とが、一つの揺動軸４５によって兼用される。
【００２２】
本発明の請求項８記載のサムターン構造は、請求項１〜７のいずれか１つに記載のサムターン構造であって、
前記摘み部１５と前記切替部材とには該切替部材を一方のスライド位置６７と他方のスライド位置に移動付勢するクリック部材が設けられていることを特徴とする。
【００２３】
このサムターン構造では、切替部材が一方のスライド位置６７と他方のスライド位置に移動される毎に、クリック部材によってクリック感が生じる。
【００２４】
本発明の請求項９記載のサムターン構造は、請求項１〜８のいずれか１つに記載のサムターン構造であって、
前記切替部材が蓄光材料を含んで発光可能に形成されていることを特徴とする。
【００２５】
このサムターン構造では、暗くなっても切替部材が発光し、一般的に小形に形成される摘み部１５においても、操作部位となる切替部材の判別が容易となる。特に、周縁部材６１と兼用される構造の場合には、その判別に有効な手段となる。
【発明の効果】
【００２６】
本発明に係る請求項１記載のサムターン構造によれば、特定の使用状態においては、摘み部の回転が規制される防犯機能を、別部材を用いることなく解除状態に保持できる。この結果、別部材であるキャップ等の保管や、サムターン操作毎の防犯機能解除等、煩雑な管理や操作をなくすことができる。
【００２７】
本発明に係る請求項２記載のサムターン構造によれば、対となる双方のボタンが押し込まれた時のみ、規制解除する構造にでき、防犯性が向上する。
【００２８】
本発明に係る請求項３記載のサムターン構造によれば、摘み部が板状に形成されることで、摘み部を厚み方向で摘む自然な動作で、一対のボタンを容易に操作することができる。
【００２９】
本発明に係る請求項４記載のサムターン構造によれば、切替部材の操作方向を扉面に対して垂直方向にでき、ボタンの操作と切替部材の操作方向とを区別して、誤操作を生じ難くできる。
【００３０】
本発明に係る請求項５記載のサムターン構造によれば、切替部材の操作方向が、サムターン回転中心軸に直交方向となることで、摘み部を摘む動作と、切替部材を操作する動作との移行が容易となり、操作性が向上する。
【００３１】
本発明に係る請求項６記載のサムターン構造によれば、サムターン回転中心軸に沿う方向にスライドする切替部材を、摘み部の周縁部材とすることで、摘み部の任意の回転位置においても、切替部材を良好に視認できる。
【００３２】
本発明に係る請求項７記載のサムターン構造によれば、ボタンの揺動と、切替部材のスライドとを単一の揺動軸を兼用して行え、部品点数を少なくして、サムターンをコンパクト化できる。
【００３３】
本発明に係る請求項８記載のサムターン構造によれば、サムターン回転規制機構の規制状態、または規制解除状態への切替部材の良好な操作感が得られ、不完全な操作を防止できる。
【００３４】
本発明に係る請求項９記載のサムターン構造によれば、夜間など暗い場所における切替部材の視認性を向上させ、操作を容易にできる。
【図面の簡単な説明】
【００３５】
【図１】第１実施形態に係るサムターン構造を有したサムターンの斜視図である。
【図２】図１に示したサムターンの一部分を切り欠いた側面図である。
【図３】図２に示したサムターンの摘み部を切り欠いた側面図である。
【図４】図３に示したサムターンの一部分を切り欠いた平面図である。
【図５】クリック部材の要部拡大図である。
【図６】切替部材がスライドされたサムターンの一部分を切り欠いた側面図である。
【図７】図６に示した摘み部を切り欠いた側面図である。
【図８】図７に示したサムターンの一部分を切り欠いた平面図である。
【図９】第２実施形態に係るサムターンの斜視図である。
【図１０】図９に示したサムターンの分解斜視図である。
【図１１】図９に示したサムターンの一部分を切り欠いた平面図である。
【図１２】図９に示したサムターンの一部分を切り欠いた側面図である。
【図１３】図１２に示したサムターンの正面図である。
【図１４】切替部材が操作された後のサムターンの摘み部を切り欠いた平面図である。
【図１５】切替部材が操作された後のサムターンの一部分を切り欠いた側面図である。
【図１６】図１５に示したサムターンの正面図である。
【発明を実施するための形態】
【００３６】
以下、本発明に係る実施形態を図面を参照して説明する。
図１は第１実施形態に係るサムターン構造を有したサムターンの斜視図、図２は図１に示したサムターンの一部分を切り欠いた側面図、図３は図２に示したサムターンの摘み部を切り欠いた側面図、図４は図３に示したサムターンの一部分を切り欠いた平面図、図５はクリック部材の要部拡大図である。
本実施形態に係るサムターン構造を備えるサムターン１１の取付けられる扉１３には、図示しない錠箱が設けられる。錠箱は、ラッチボルト、デッドボルト、およびこれらを扉１３の木口から進退させる錠機構部を内設している。錠箱のデッドボルトは、扉１３の屋外側の面に設けたシリンダー錠を合鍵によって、または扉１３の屋内側の面に設けられたサムターン摘み部（以下、単に「摘み部」と称す）１５を回転することによって扉１３の木口から進退可能となっている。サムターン１１は、後述のサムターン回転規制機構によって、摘み操作を有効または不能にするよう作動する。
【００３７】
扉１３または錠箱にはサムターン１１を構成する図２に示す固定筒１７が固定される。固定筒１７の軸線方向一端側の外周には一対の固定部２０が突設され、固定部２０は固定穴２１を有している。固定筒１７は、扉内に設けられた錠箱にこの固定穴２１を介して固定される。
【００３８】
固定筒１７の先端にはスペーサリング２３（図４参照）が外挿され、その外周には中央穴を有した飾り筒２５が被せられて固定される。この飾り筒２５の外周側先端部には、先端が平坦な円錐形状の化粧リング２７が外装される。化粧リング２７は、後端の折曲部２９と、飾り筒２５の後端面との間に配設されたバネ３１の付勢力によって後端が扉１３の屋内面に押付けられる。
【００３９】
固定筒１７の内部にはコア軸３３が回転自在に内設される。コア軸３３には、固定筒１７の後方から突出するテールピース３５が設けられる。テールピース３５は、錠箱の図示しない錠機構部の入出力軸に連結される。
【００４０】
固定筒１７の先端側内部には、摘み部１５の取り付けられる摘み杆３７が回転自在に内設される。摘み杆３７は、後述するボタン３９を備えたサムターン回転規制機構によって、回転の可否が制御される。サムターン回転規制機構による規制が解除され、摘み杆３７が回転すれば、上記のコア軸３３が連動して回転される。
【００４１】
摘み部１５は、輪郭形状が例えば図１および図４に示すような略半円形状の曲線となるような略板状で形成されている。これにより、針金を摘み部１５に引っ掛けようとしたり、棒を当てて押し回ししようとしても、角部がないため針金や棒が滑り易く、これら不正な回転操作力が印加され難くなっている。また、角部がなくなることで、手指によるフィット感も良好となる。本実施形態では、図１に示すように、摘み部１５の表裏面には凹み４１が形成され、より手指によるフィット感が良好となっている。本実施形態では、この摘み部１５は同形状に形成した一対の板状部材よりなるサムターンケース１９を組み合わせて構成され、それぞれの対向内側面に突設された固定板１８にて摘み杆３７を挟みビス１６にて固定される（図５参照）。
【００４２】
サムターンケース１９にはボタン収容穴４３が穿設され、摘み部１５の表裏面を貫通して形成されている。ボタン収容穴４３には揺動軸４５によって揺動自在となった一対のボタン３９が収容されている。ボタン３９は、摘み部１５の表裏面の凹み４１で突出される。すなわち、ボタン３９は、摘み部１５の外表面４７に突出して設けられ、且つ凹み４１によりボタン３９を押し込むための長さ（ストローク）が得られる。それぞれのボタン３９は、錠箱の方向へ向かって突出する脚部４９を有している。この脚部４９は、摘み杆３７を貫通してサムターン回転規制機構に延設され、連動連結される。
【００４３】
また、一対のボタン３９の間にはボタン付勢バネ５１が挟入され、ボタン付勢バネ５１は、双方のボタン３９を離反方向へ付勢している。ボタン３９は、ボタン付勢バネ５１によって離反方向へ配置されることで、脚部４９が水平に並ぶようになっている（図３参照）。脚部４９が水平配置されることで、サムターン回転規制機構では、摘み部１５の回転を阻止し、コア軸３３への回転が伝達されないようになる。
【００４４】
一方、ボタン３９は、ボタン付勢バネ５１の付勢力に抗して接近方向へ押し込まれることで、脚部４９が開く（図６参照）。これにより、サムターン回転規制機構では、コア軸３３への回転の伝達が可能な状態となり、摘み部１５の回転操作をコア軸３３に伝達するようになっている。つまり、ボタン３９は、押し込まれることにより内部のサムターン回転規制機構を規制解除する。
【００４５】
本実施形態では、摘み部１５が板状に形成され、一対のボタン３９の一方が図３に示す摘み部表面５３に配置され、一対のボタン３９の他方が摘み部裏面５５に配置される。摘み部１５が例えば円柱体等である場合に比べ、視覚、触覚によって施解錠状態や施解錠操作方向の把握が容易となる。また、摘みやすい方向が厚み方向となり、二本の手指が接することになる表裏面へボタン３９が配置され、ボタン３９の配置が容易となる。これにより、摘み部１５を厚み方向で摘む自然な動作で、一対のボタン３９を容易に操作することができる。
【００４６】
図１に示す摘み部周縁５７には、略Ｃ字形状の図４に示す収容部５９が形成される。収容部５９には略Ｃ字形状の切替部材である周縁部材６１が着脱自在に嵌合されるようになっている。周縁部材６１は、バネ性を有し、好ましくは摘み部１５と異なる色に着色されている。着色は、一色であってもよく、周縁部材６１の円弧方向の略中央部を境に、左右が異なる色で２色に色分けされてもよい。このような色分けを行うことで、摘み部１５が水平または垂直に姿勢された際の、上下または左右を判別し易くすることができる。
【００４７】
また、着色には、蛍光塗料を用いることができ、反射光の強度を高めて視認性を向上させることができる。さらに、周縁部材６１は、蓄光材料を含んで発光可能に形成されてもよい。暗くなっても周縁部材６１が発光し、一般的に小形に形成される摘み部１５においても、操作部位となる周縁部材６１の判別が容易となる。特に、周縁部材６１と兼用される構造の場合には、その判別に有効な手段となる。これにより、夜間や暗い場所における周縁部材６１の視認性を向上させ、操作を容易にできる。
【００４８】
本実施の形態では、周縁部材６１は、合成樹脂材、例えばポリカーボネート樹脂等からなる。このように合成樹脂材が用いられることで、一体成形が可能となり、バネ性を備えた精度の高い周縁部材６１が、自由な形状でかつ安価に大量製造可能となる。また、成形前の樹脂材料に顔料（蛍光塗料、蓄光材料を含む）等が添加されることで着色が可能となり、塗布の場合に比べ、退色や変色のしにくい着色が可能となる。なお、周縁部材６１は、合成樹脂材に代えて金属材料やその他素材によって形成されてもよい。
【００４９】
ところで、周縁部材６１は、ボタン３９の押し込み方向に直交方向でスライド自在となっている。周縁部材６１の後方には図４に示す爪部６３が形成され、爪部６３はサムターンケース１９の段部６５に係止して扉１３から離反方向への離脱を阻止する。爪部６３の表側には、滑り止め部６１ａが設けられる。周縁部材６１は、押し込まれたボタン３９に、扉面に接近する一方のスライド位置６７（図８参照）で係合して、ボタン３９を押し込み位置に保持する。なお、図４には一方のスライド位置６７にスライドされる前の周縁部材６１、すなわち、他方のスライド位置の周縁部材６１が描かれている。
【００５０】
図３に示すように、周縁部材６１の内周面である先端部後方には上下に離間した一対の凸部６９が設けられている。一方、ボタン３９の先端には凹部７１が設けられることで挟持片７３が突出されている。一対のボタン３９は、押し込まれることによって、図７に示すように、それぞれの挟持片７３が接触する。接触して一体となった挟持片７３は、周縁部材６１が一方のスライド位置６７へスライドされることによってに上下の凸部６９によって挟持された状態に保持される。同時に、凸部６９は、凹部７１と嵌合する。
【００５１】
本実施形態において、周縁部材６１のスライド方向は、サムターン回転中心軸７５の軸線に沿う方向となっている。すなわち、扉面に垂直な方向となる。従って、周縁部材６１の切り替え操作方向が、サムターン１１の回転姿勢とは無関係な押し引き方向となる。これにより、ボタン３９の操作と周縁部材６１の操作方向とを区別して、誤操作を生じ難くできる。
【００５２】
また、周縁部材６１とサムターンケース１９とには、周縁部材６１を一方のスライド位置６７と他方のスライド位置に移動付勢するクリック部材が設けられている。図５に示すように、クリック部材は、周縁部材６１に設けられる弾性クリック爪７７と、サムターンケース１９に設けられるクリック溝７９と、からなる。周縁部材６１が一方のスライド位置６７と他方のスライド位置に移動される毎に、クリック部材によってクリック感が生じる。これにより、サムターン回転規制機構の規制状態、または規制解除状態への周縁部材６１の良好な操作感が得られ、不完全な操作を防止できる。
【００５３】
次に、上記構成を有するサムターン構造の作用を説明する。
図６は切替部材がスライドされたサムターン１１の一部分を切り欠いた側面図、図７は図６に示した摘み部１５を切り欠いた側面図、図８は図７に示したサムターン１１の一部分を切り欠いた平面図である。
上記のサムターン構造では、ボタン３９が突出した状態では、サムターン回転規制機構が作動し、サムターン１１による解錠操作が行えない状態となっている。図６，図７に示すように、ボタン３９が押し込まれると、サムターン回転規制機構による規制が解除される。このボタン３９を押し込んだ状態において、図８に示すように、サムターン１１に設けられた周縁部材６１が一方のスライド位置６７までスライドされると、ボタン３９が押し込まれた状態に保持される。これにより、サムターン回転規制機構が、規制解除された状態に保持されることになる。すなわち、ボタン３９の押し込み操作とは関係なく、サムターン１１のみの回転操作によって、通常と同様に施解錠操作が可能となる。
【００５４】
また、このサムターン構造では、同時に押し込まれることでサムターン回転規制機構を規制解除する一対のボタン３９が摘み部１５に設けられている。周縁部材６１は、同時に押し込まれた一対のボタン３９を押し込み位置に保持する。摘み部１５を二本の手指で摘む動作を利用して、摘み部１５の二カ所にボタン３９が配置され、この摘み部１５の摘み動作と同時に一対のボタン３９が押し込み可能となる。これにより、同時に一対のボタン３９が押し込まれた場合に、規制が解除されるサムターン回転規制機構の採用が可能となる。その結果、双方のボタン３９が押し込まれた時のみ、規制解除する構造にでき、防犯性が向上する。なお、規制解除状態から元の規制状態に戻すには周縁部材６１を手前方向にスライドし引っ張るのみで両ボタン３９はボタン付勢バネ５１の付勢力にて復帰し規制状態を解除することが可能となる。
【００５５】
さらに、切替部材が摘み部周縁５７を構成する周縁部材６１となっている。切替部材がサムターン回転中心軸７５に沿う方向にスライドする構造において、その切替部材が摘み部表面５３と摘み部裏面５５とに挟まれる周縁部材６１となることで、摘み部１５の回転姿勢によらず常に視認が可能となる。また、摘み部表面５３および摘み部裏面５５のデザイン自由度が確保される。サムターン回転中心軸７５に沿う方向にスライドする切替部材を、摘み部１５の周縁部材６１とすることで、摘み部１５の任意の回転位置においても、切替部材を良好に視認できる。
【００５６】
このように、上記のサムターン構造によれば、従来のような別体構成ではなく、サムターン１１そのものにボタン保持機能を持たせている。これにより、ボタン３９の押下状態を保持したままサムターン１１を使用でき、解錠時の煩雑さが減る。また、工事期間中などでの使用や、その他、例えば、特定の時間中に人の出入りが多いところなどにも使える。また、手指の不自由な場合など、小さなボタン３９を押下する操作が困難となる際にも有用となる。ボタン機能のあるサムターン１１が既に設置されている場合には、切替運用が可能となる。さらに、周縁部材６１である切替部材が摘み部の周縁５７を構成しており、意匠性を損なうことがない。また、この周縁部材６１によれば、図６に示すように前端部分がスライドして摘み部１５としての周縁部分が凹溝状となり、触感によっても切替状態が判別可能となる。
【００５７】
次に、本発明に係るサムターン構造の第２実施形態を説明する。
図９は第２実施形態に係るサムターン８１の斜視図、図１０は図９に示したサムターン８１の分解斜視図、図１１は図９に示したサムターン８１の一部分を切り欠いた平面図、図１２は図９に示したサムターン８１の一部分を切り欠いた側面図、図１３は図１２に示したサムターン８１の正面図である。なお、図１〜図８に示した部材と同等の部材には同一の符号を付して説明する。
本実施形態に係るサムターン構造を有するサムターン８１は、切替部材がスライド杆８３によって構成される。スライド杆８３は、スライド方向の両端が切替ボタン部８５となる。スライド杆８３のスライド方向は、サムターン回転中心軸７５に直交方向である。なお、本実施の形態では、上記の周縁部材６１は使用されない。その代わりに摘み部１５にはキャップ部材８７が装着される。
【００５８】
図１０に示すように、摘み杆３７には、同形状に形成した一対のサムターンケース８９が上下から固定される。サムターンケース８９にはボタン３９を表出させるボタン貫通穴９１が設けられている。サムターンケース８９には支持柱９３と、固定板９５と、が設けられる。固定板９５にはビス用孔９７と、軸逃げ溝９９が形成されている。
【００５９】
摘み杆３７は、一対の平行なアーム板１０１が化粧リング２７から前方に突出されている。スライド杆８３は、ボタン３９を押し込み方向に揺動自在に支持する揺動軸４５を有している。揺動軸４５は、一対のボタン３９を貫通支持する。揺動軸４５は、軸逃げ溝９９によって固定板９５との干渉が回避されている。揺動軸４５の一端には切替ボタン部８５が圧入固定される。この切替ボタン部８５の内側にはロックレバー１０３が固定される。アーム板１０１とボタン３９を貫通した揺動軸４５の他端には、他方の切替ボタン部８５が固定される。これらの切替ボタン部８５は、例えば角型に形成できる。他方の切替ボタン部８５は、図１１に示すように、前方より螺合されるイモネジ１０５によって揺動軸４５に固定される。つまり、揺動軸４５の両端にはそれぞれ切替ボタン部８５が固定されている。
【００６０】
このようにして揺動軸４５をアーム板１０１、ボタン３９に貫通させて、スライド杆８３が取り付けられた後、上下からサムターンケース８９が摘み杆３７に固定される。一対のサムターンケース８９の固定は、固定板９５のビス用孔９７に挿通したビス１００（図１１参照）を、アーム板１０１の図１０に示す固定ビス孔１０７に螺合して行う。なお、固定ビス孔１０７は、切替ボタン部８５を揺動軸４５から脱着することにより表出させることが可能となる。
【００６１】
切替ボタン部８５は、図１６に示すように、一方が押されると摘み部１５の外形と略一致する位置まで押し込まれ、他方が摘み部１５の外形から突出する。また、図１３に示すように、他方が押されると摘み部１５の外形と略一致する位置まで押し込まれ、一方が摘み部１５の外形から突出する。なお、一対の切替ボタン部８５は、一方が押し込まれたボタン３９を保持するもの、他方が押し込み状態に保持されたボタン３９を解除するものとして機能する。
【００６２】
ここで、一対のボタン３９のそれぞれの側部には、挟持翼部１０９が突設れている。挟持翼部１０９は、一対のボタン３９が押し込まれると、互いに接近し略接触する。一方、スライド杆８３に固定されたロックレバー１０３にはこの互いに接近した一対の挟持翼部１０９を接近状態で挟む保持溝１１１が形成されている。つまり、一対のボタン３９を押し込み、挟持翼部１０９が接触した状態で、一方の切替ボタン部８５を押すと、スライド杆８３が移動し、保持溝１１１が両挟持翼部１０９，１０９を挟持状態に保持するようになっている。この状態で他方の突出した切替ボタン部８５が押し込まれれば、保持溝１１１による挟持翼部１０９の挟持が解除され、一対のボタン３９はボタン付勢バネ５１によって再び突出状態となる。つまり、サムターン回転規制機構が作動状態となる。
【００６３】
また、このサムターン８１においても、スライド杆８３を一方のスライド位置６７と他方のスライド位置に移動付勢するクリック部材が設けられている。本実施形態のクリック部材は、図１１に示すクリックバネ１１３と、このクリックバネ１１３が弾性的に係止するクリック突起１１５と、からなる。スライド杆８３が一方のスライド位置６７と他方のスライド位置に移動される毎に、クリックバネ１１３とクリック突起１１５とによってクリック感が生じる。これにより、サムターン回転規制機構の規制状態、または規制解除状態へのクリック突起１１５による良好な操作感が得られ、不完全な操作を防止できる。
【００６４】
次に、上記構成を有するサムターン構造の作用を説明する。
図１４は切替部材が操作された後のサムターン８１の摘み部１５を切り欠いた平面図、図１５は切替部材が操作された後のサムターン８１の一部分を切り欠いた側面図、図１６は図１５に示したサムターン８１の正面図である。
この実施の形態によるサムターン構造では、ボタン３９が突出した状態では、サムターン回転規制機構が作動し、サムターン８１による解錠操作が行えない状態となっている。図１４，図１５に示すように、一対のボタン３９が同時に押し込まれると、サムターン回転規制機構による規制が解除される。これらボタン３９を押し込んだ状態において、サムターン８１に設けられたスライド杆８３の一方の切替ボタン部８５が押されると、図１６に示すように、ボタン３９が押し込まれた状態に保持される。これにより、サムターン回転規制機構が、規制解除された状態に保持されることになる。すなわち、ボタン３９の押し込み操作とは関係なく、サムターン８１のみの回転操作によって、通常と同様に施解錠操作が可能となる。
【００６５】
また、スライド杆８３がサムターン回転中心軸７５に直交方向となることで、例えば摘み部１５が板状である場合、摘み部１５の表裏面に平行で、かつサムターン回転中心軸７５に直交する方向を操作方向にすることができる。従って、摘み部表面５３と摘み部裏面５５とに挟まれる摘み側部１１７（図１６参照）にスライド杆８３の切替ボタン部８５を配置して目立ちにくく意匠性を損ねない構造とすることが可能となる。また、スライド杆８３の操作方向が、サムターン回転中心軸７５に直交方向となることで、摘み部１５を摘む動作と、切替部材を操作する動作とを異なる方向とし連動操作とならないので、切り替え操作として意識して行うことを可能としている。
【００６６】
さらに、ボタン３９の押し込みを可能とする揺動構造のための部材と、スライド杆８３をサムターン回転中心軸７５と直交方向にスライドさせるための案内部材とが、一つの揺動軸４５によって兼用される。すなわち、各ボタン３９の揺動と、スライド杆８３のスライドとを単一の揺動軸４５を兼用して行え、部品点数を少なくして、サムターン８１をコンパクト化できる。
【００６７】
そして、操作後の切替ボタン部８５は逆側に突出するので、その状態が目視で確認でき、逆方向の切替ボタン部８５を押すことで切り替えることとなるので操作方法がわかりやすく、簡便となる。
【００６８】
従って、上記実施形態に係るサムターン構造を備えたサムターン１１、サムターン８１によれば、特定の使用状態においては、摘み部１５の回転が規制される防犯機能を、従来のような別部材を用いることなく解除状態を保持することができる。この結果、キャップ等の保管や、サムターン操作毎の防犯機能解除等、煩雑な管理や操作をなくすことができ、サムターン自体の構成で切り替え操作が可能となる。
【００６９】
なお、上記の実施形態で開示したボタン３９と周縁部材６１、ボタン３９とスライド杆８３との凹凸による係合構造は一例であり、それらの凹凸形状の組み合わせは逆向きに形成されるものであってもよく、また互いの係合構造の形状についても限定されるものではない。また、摘み部１５の形状は一例であり、図例の形状に限定されるものではない。さらに、上記実施形態では、一対のボタン３９が設けられる場合を例に説明したが、ボタン３９は一つであってもよい。また、ボタン３９の位置、切替部材の形状、位置は摘み部１５の形状に対応させて適宜に変更することができる。
【符号の説明】
【００７０】
１５…摘み部
３９…ボタン
４５…揺動軸
４７…外表面
５３…摘み部表面
５５…摘み部裏面
５７…摘み部周縁
６１…切替部材（周縁部材）
６７…スライド位置
７５…サムターン回転中心軸
７７…クリック部材（弾性クリック爪）
７９…クリック部材（クリック溝）
８３…切替部材（スライド杆）
１１３…クリック部材（クリックバネ）
１１５…クリック部材（クリック突起）
【図１】
2012233377.tif 000003
【図２】
2012233377.tif 000004
【図３】
2012233377.tif 000005
【図４】
2012233377.tif 000006
【図５】
2012233377.tif 000007
【図６】
2012233377.tif 000008
【図７】
2012233377.tif 000009
【図８】
2012233377.tif 000010
【図９】
2012233377.tif 000011
【図１０】
2012233377.tif 000012
【図１１】
2012233377.tif 000013
【図１２】
2012233377.tif 000014
【図１３】
2012233377.tif 000015
【図１４】
2012233377.tif 000016
【図１５】
2012233377.tif 000017
【図１６】
2012233377.tif 000018